(57)【要約】【課題】非使用時には、壁面から大きく突出した部分を有さない、コンパクトな形態とすることができる壁付け式懸架具を提供する。【解決手段】壁面に取り付けられるホルダ１と、ホルダ１に一端を挿入されるアーム状剛体からなると共に、被懸架材Ｐを懸架する懸架用孔２０を先部近傍に有した懸架アーム２と、を具備してなる。ホルダ１は、懸架アーム２の基端部を横方向に取り外し可能に差し込むアーム挿入穴１０と、アーム挿入穴１０から取り外した懸架アーム２を縦方向に収納し得るアーム収容溝１４と、を有してなる。懸架アーム２をアーム挿入穴１０に差し込むことで、被懸架材Ｐを懸架可能な使用状態Ｓ１となる。懸架アーム２をアーム挿入穴１０から取り外してアーム収容溝１４に収納することで非使用状態となる。【選択図】図１
2018171137.tif 000002
【特許請求の範囲】
【請求項１】
壁面に取り付けられるホルダと、前記ホルダに一端を挿入されるアーム状剛体からなると共に、被懸架材を懸架する懸架用孔を先部近傍に有した懸架アームと、を具備してなる壁付け式懸架具であって、
前記ホルダは、懸架アームの基端部を横方向に取り外し可能に差し込むアーム挿入穴と、アーム挿入穴から取り外した懸架アームを縦方向に収納し得るアーム収容溝と、を有してなり、
懸架アームを前記アーム挿入穴に差し込むことで、被懸架材を懸架可能な使用状態となり、或いは、懸架アームを前記アーム挿入穴から取り外して前記アーム収容溝に収納することで非使用状態となることを特徴とする、壁付け式懸架具。
【請求項２】
前記ホルダのアーム挿入穴は穴底から開口部に向かって斜め上方を向いた穴路を有し、
使用状態において懸架アームは、先部が斜め上方を向くと共に基端部が前記穴路に沿って差し込まれた状態を保持することを特徴とする、請求項１記載の壁付け式懸架具。
【請求項３】
ホルダの第一挿入穴の穴底部と、懸架アームの基端部との一方及び他方には、互いに係止可能な第一係止部と第二係止部とからなる、挿入端係止構造が設けられることを特徴とする、請求項１又は２記載の壁付け式懸架具。
【請求項４】
前記第一係止部と第二係止部のうち、ホルダの第一挿入穴の穴底部に設けられた一方は、収納状態において懸架アームの懸架用孔と係止し得ることを特徴とする、請求項３記載の壁付け式懸架具。
【請求項５】
ホルダの第一挿入穴の穴底部の上下の孔辺と、懸架アームの基端部の上下の端辺両側辺との一方及び他方には、互いに係止可能な第三係止部と第四係止部とからなる、挿入辺係止構造が設けられることを特徴とする、請求項１乃至３のいずれか記載の壁付け式懸架具。
【請求項６】
ホルダの第一挿入穴の穴底部と、懸架アームの基端部との一方及び他方にはそれぞれ、互いに磁着可能な第一磁着体と第二磁着体とからなり、磁着構造が設けられることを特徴とする、請求項１又は２記載の壁付け式懸架具。
【発明の詳細な説明】
【技術分野】
【０００１】
本発明は、壁付け式懸架具に関し、特に、物干竿を利用して洗濯物等を干す際に、物干竿を保持する使用状態と、物干竿を保持しない非使用状態とに形態が変化する壁付け式懸架具に関する。
【背景技術】
【０００２】
従来、バルコニーやテラスの壁には、物干竿を利用して洗濯物を干す際に、物干竿を保持するための壁付け式懸架具が設けられてなる。この壁付け式懸架具は、通常、壁面に取り付けられるベース部と、このベース部から壁面に対して略垂直方向もしくはやや上向きに延伸し、物干竿の端部等を支える保持材として機能する延伸部材とで構成されてなる。
【０００３】
また、従来の物干用支持装置には、バルコニーやテラスの天井、その他建物の軒下や梁等に、物干し用の支持部材を吊り下げて固定するものがある（特許文献１参照）。この特許文献１に開示される物干用支持装置は、取付部材への吊り下げ材の固定作業をできるだけ簡便にするために、井等の被固定部に取り付けられる取付部材と、物干し竿等の懸架物を支持する保持材と、取付部材と保持材とを結ぶ上下方向の吊り下げ材とを備えてなる。
【０００４】
そして、吊り下げ材は取付部材に対して揺動自在であり、取付部材に長孔が設けられて、吊り下げ材に設けたガイドピンが長孔内を移動することにより吊り下げ材の揺動がガイドされてなる。また、ガイドピンの長孔内の移動とともにそのガイドピンと一体に同方向へ移動するガイドプレートを備え、ガイドプレートを取付部材に固定してガイドピンの長孔内での移動を規制する係止手段を備えた物干し用支持装置としている。さらに、取付部材は、被固定部側の下向き面に沿う基板部とその基板部から保持材側に向かって立ち上がる対の側壁とを備え、長孔は対の側壁にそれぞれ設けられて、係止手段は、基板部とガイドプレートとの間に設けられてなる。
【先行技術文献】
【特許文献】
【０００５】
【特許文献１】特開２０１６−０４９２０３号公報
【発明の開示】
【発明が解決しようとする課題】
【０００６】
しかしながら、日本の住宅事情ではバルコニー等のスペースを十分にとることが難しいため、洗濯物を干していない時間帯において、従来の壁付け式懸架具や物干用支持装置は、荷物の運搬、通行などの障害となっている。
【０００７】
そこで本発明は、非使用時には、壁面から大きく突出した部分を有さない、コンパクトな形態とすることができる壁付け式懸架具を提供することを目的とする。
【課題を解決するための手段】
【０００８】
上記課題を解決すべく以下の手段を講じている。なお以下にて構成名称に続いて記載する括弧書きと括弧内の数字乃至アルファベットは実施例の構成の理解のため便宜的に付する符号であり、これにより概念や形状を限定するものではない。
本発明に係る壁付け式懸架具は、壁面（Ｗ）に取り付けられるホルダ（１）と、ホルダ（１）に一端を挿入されるアーム状剛体からなると共に、被懸架材（Ｐ）を懸架する懸架用孔（２０）を先部近傍に有した懸架アーム（２）と、を具備してなる壁付け式懸架具であって、ホルダ（１）は、懸架アーム（２）の基端部を横方向に取り外し可能に差し込むアーム挿入穴（１０）と、アーム挿入穴（１０）から取り外した懸架アーム（２）を縦方向に収納し得るアーム収容溝（１４）と、を有してなり、懸架アーム（２）をアーム挿入穴（１０）に差し込むことで、被懸架材（Ｐ）を懸架可能な使用状態（Ｓ１）となり、或いは、懸架アーム（２）をアーム挿入穴（１０）から取り外してアーム収容溝（１４）に収納することで非使用状態（Ｓ２）となることを特徴とする。
【０００９】
上記の構成によれば、非使用時にはアーム挿入穴（１０）から取り外した懸架アーム（２）をホルダ（１）に保持収納し、或いは懸架アーム（２）を取り外した状態にすることで、壁面（Ｗ）から大きく突出した部分を有さない（具体的には、ホルダ側面から突出した部分を有さない）、コンパクトな形態とすることができる。取り付けた壁面（Ｗ）付近の空間を確保することで、荷物の運搬、通行などの便宜に優れた状態となる。
【００１０】
また、懸架具が分離可能なホルダ（１）と懸架アーム（２）とから構成されることで、懸架アーム（２）破損時や異なる使用状況を要求される時に、懸架アーム（２）を新品又は異なる形状のものに交換したり、或いは懸架アーム（２）を取り外した状態にすることができる。なお、懸架アーム（２）は、懸架用孔（２０）が形成された横長方形のアーム板からなり、アーム挿入穴（１０）はこの懸架アーム（２）の板端部を縦型穴板面が略鉛直方向を向くように縦方向にアーム挿入穴（１０）に差し込まれてなる。
【００１１】
また、本発明に係る壁付け式懸架具は、ホルダ（１）のアーム挿入穴（１０）は穴底から開口部に向かって斜め上方を向いた穴路を有し、使用状態（Ｓ１）において懸架アーム（２）は、先部が斜め上方を向くと共に基端部（２１）が穴路に沿って差し込まれた状態を保持することを特徴とする。
【００１２】
上記の構成によれば、穴路を斜め上方を向くように設定することで、使用状態（Ｓ１）における懸架アーム（２）の差し込み状態を確実に保持することができる。特に、懸架アーム（２）で被懸架材（Ｐ）を懸架したときには、懸架荷重によるモーメントが懸架アーム（２）の第一挿入穴（１０１）への差し込み部に発生するところ、この穴路によって第一挿入穴（１０１）の開口部の下端付近と第一挿入穴（１０１）のそれぞれが懸架アーム（２）の基端部（２１）と斜めに係止することとなる。これにより、穴底部の上端付近と懸架アーム（２）が第一挿入穴（１０１）から脱落しにくいものとなる。
【００１３】
また、本発明に係る壁付け式懸架具は、ホルダ（１）の第一挿入穴（１０１）の穴底部と、懸架アーム（２）の基端部（２１）との一方及び他方には、互いに係止可能な第一係止部（３１）と第二係止部（３２）とからなる、挿入端係止構造（３）が設けられることを特徴とする。
【００１４】
上記の構成によれば、懸架アーム（２）で被懸架材を懸架したときには、懸架アーム（２）の基端部（２１）の差し込み部に、懸架荷重によるモーメントが発生するところ、挿入端係止構造（３）を設けることで、使用状態（Ｓ１）を確実に保持することができる。なお、第一挿入孔（１０１）の穴底部には、斜め上方を向く立板の側方突出片（第一係止片）からなる第一係止部（３１）が形成され、また、懸架アーム（２）の基端部には、第一係止体（３１）の突出片形状に対応したアーム板の切欠き部からなる第二係止部（３２）が形成されてなる。
【００１５】
本発明に係る壁付け式懸架具は、第一係止部（３１）と第二係止部（３２）のうち、ホルダ（１）の第一挿入穴（１０１）の穴底部に設けられた一方は、収納状態において懸架アーム（２）の懸架用孔（２０）と係止し得ることを特徴とする。
【００１６】
上記の構成によれば、非使用状態（Ｓ２）において、第一係止部（３１）と第二係止部（３２）のうち、ホルダ（１）の第一挿入穴（１０１）の穴底部に設けられた一方を、懸架アームの懸架用孔（２０）と係止することで、懸架アーム（２）をホルダ（１）に収納することができる。
【００１７】
本発明に係る壁付け式懸架具は、ホルダ（１）の第一挿入穴（１０１）の穴底部の上下の孔辺と、懸架アーム（２）の基端部の上下の端辺両側辺との一方及び他方には、互いに係止可能な第三係止部（３３）と第四係止部（３４）とからなる、挿入辺係止構造（４）が設けられることを特徴とする。
【００１８】
上記の構成によれば、懸架アーム（２）で被懸架材を懸架したときには、懸架アーム（２）基端部の差し込み部に、懸架荷重によるモーメントが発生するところ、挿入端係止構造（４）を設けることで、使用状態（Ｓ１）を確実に保持することができる。なお、第一挿入孔（１０１）の穴底部には、斜め上方を向く立板の側方突出片（第一係止片）からなる第一係止部（３１）が形成され、また、懸架アーム（２）の基端部には、第一係止体（３１）の突出片形状に対応したアーム板の切欠き部からなる第二係止部（３２）が形成されてなる。
【００１９】
本発明に係る壁付け式懸架具は、ホルダ（１）の第一挿入穴（１０１）の穴底部と、懸架アーム（２）の基端部（２１）との一方及び他方にはそれぞれ、互いに磁着可能な第一磁着体（５１）と第二磁着体（５２）とからなり、磁着構造（５）が設けられることを特徴とする。
【００２０】
上記の構成によれば、使用状態（Ｓ１）において、ホルダ（１）の第一挿入穴（１０１）の穴底部と、懸架アーム（２）の基端部（２１）との一方及び他方には設けられた第一磁着体（５１）と第二磁着体（５２）とが磁着するため、懸架アーム（２）が第一挿入穴（１０１）から脱落しにくいものとなる。
【発明の効果】
【００２１】
本発明によれば、非使用時には、壁面から大きく突出した部分を有さない、コンパクトな形態とすることができる壁付け式懸架具を提供することを目的とする。
【図面の簡単な説明】
【００２２】
【図１】第１実施例に係る壁付け式懸架具の使用状態（Ｓ１）の斜視図である。
【図２】第１実施例に係る壁付け式懸架具の使用状態（Ｓ１）の四面図であり、（ａ）は側面図、（ｂ）は平面図、（ｃ）は正面図、（ｄ）は裏面図である。
【図３】図２におけるＡ−Ａでの断面図及び一部拡大図である。
【図４】第１実施例に係る壁付け式懸架具の使用方法について説明する図である。
【図５】第１実施例に係る壁付け式懸架具の非使用状態（Ｓ２）の斜視図である。
【図６】第１実施例に係る壁付け式懸架具の非使用状態（Ｓ２）での正面図及び一部拡大図である。
【図７】図６におけるＢ−Ｂでの断面図である。
【図８】第２実施例に係る壁付け式懸架具の分解側面図である。
【図９】第２実施例に係る壁付け式懸架具の使用状態（Ｓ１）における断面図である。
【図１０】第２実施例に係る壁付け式懸架具の非使用状態（Ｓ２）における断面図である。
【図１１】第３実施例に係る壁付け式懸架具の分解斜視図である。
【図１２】第３実施例に係る壁付け式懸架具の使用状態（Ｓ１）における一部断面図である。
【図１３】第３実施例に係る壁付け式懸架具の非使用状態（Ｓ２）の図であり、（ａ）は一部断面図、（ｂ）は一部正面図である。
【発明を実施するための形態】
【００２３】
＜第１実施例＞
以下、本発明の壁付け式懸架具の実施例について図１〜図７を参照して説明する。
【００２４】
第１実施例に係る壁付け式懸架具は、壁面Ｗに取り付けられるホルダ１と、ホルダ１に一端を挿入されるアーム状剛体からなると共に、被懸架材Ｐを懸架する懸架用孔２０を先部近傍に有した懸架アーム２とを具備してなる壁付け式懸架具である。ここで、「被懸架材Ｐ」とは、物干し竿、係止フック、各種提げ紐などの、本懸架具によって懸架される対象物のことである。また、本実施例では、「懸架用孔２０」は、閉じた孔縁からなるが、一部分が解放されたフック孔としてもよい。以下、各構成について具体的に説明する。
【００２５】
＜ホルダ１の構成＞
ホルダ１は、懸架アーム２の基部（基端部）２１を横方向に取り外し可能に差し込むアーム挿入穴１０と、アーム挿入穴１０から取り外した懸架アーム２を縦方向に収納し得るアーム収容溝１４とを有してなる。ホルダ１は、図２（ａ）の側面視において、壁面側に配置される壁側枠部１１と、壁側枠部１１から離間して設けられる先側枠部１２と、壁側枠部１１及び先側枠部１２を連結する枠底部１３とで主に構成される。なお、本実施例では、壁側枠部１１、先側枠部１２及び枠底部１３は、一体的に形成されてなるが、それぞれ別部材として組み立て可能としてもよい。
【００２６】
アーム収容溝１４は、壁側枠部１１、先側枠部１２及び枠底部１３により形成されるホルダ１の上部側が解放された縦長のフック孔であり、側面視における幅が懸架アーム２の板厚よりも少し大きく形成されてなる。また、アーム収容溝１４は、図２（ａ）の側面視においてホルダ１の下部側が解放されていないフック孔であるため、懸架アーム２をホルダ１のアーム収容溝１４に収納した際に、ホルダ１を構成する枠底部１３に係止されホルダ１から抜け落ちないように構成されてなる。また、図１の使用状態（Ｓ１）に示すように、懸架アーム２をアーム挿入穴１０から取り外してアーム収容溝１４に収納することで非使用状態（Ｓ２）となる。
【００２７】
アーム挿入穴１０は、壁側枠部１１に設けられた第一挿入穴１０１と、先側枠部１２に設けられた第二挿入穴１０２とで構成される。壁側枠部１１に設けられた第一挿入穴１０１は、壁側枠端面１１Ｆとは反対側の先側枠部１２側に設けられ、幅が懸架アーム２の板厚とほぼ同程度（ここでほぼ同程度とは、懸架アーム２の板厚よりもやや幅広に構成されてなることを意味する）、高さが懸架アーム２の高さとほぼ同程度（ここでほぼ同程度とは、懸架アーム２の高さよりもやや高め（長め）に構成されてなることを意味する）の縦長の穴である。
【００２８】
先側枠部１２に設けられた第二挿入穴１０２は、先側枠部１２の先端枠端面１２Ｆからみて、幅が懸架アーム２の板厚とほぼ同程度（ここでほぼ同程度とは、懸架アーム２の板厚よりもやや幅広に構成されてなることを意味する）、高さが懸架アーム２の高さとほぼ同程度（ここでほぼ同程度とは、懸架アーム２の高さよりもやや高め（長め）に構成されてなることを意味する）の縦長の貫通孔である。
【００２９】
図２（ｄ）に示すように、壁側枠部１１の壁側枠端面１１Ｆの中央部は網目状となっており、複数の開口部１１Ｐが規則的に形成されてなる。また、壁側枠部１１の壁側枠端面１１Ｆには、上部側及び下部側にホルダ１を壁面Ｗに螺子止めするための４つの螺子孔１１Ｈが設けられてなる。本実施形例では、螺子孔１１Ｈを介して螺子によりホルダ１が壁面Ｗに固定されるが、両面テープ等、他の方法によりホルダ１を壁面Ｗに固定するようにしてもよい。
【００３０】
なお、ホルダ１の第一挿入穴１０１及び第二挿入穴１０２は、壁側枠端面１１Ｆ側の穴底から先側枠部１２側の開口部に向かって斜め上方を向いた穴路を構成し、使用状態（Ｓ１）において懸架アーム２は、アーム先部２２（先部）が斜め上方を向くと共にアーム基部２１（基端部）が穴路に沿って差し込まれた状態となる。
【００３１】
また、図３に示すように、壁側枠部１１には、懸架アーム２の基部２１に設けられた基部係止体（第二係止部）３２と嵌合し、懸架アーム２を係止可能な内部係止体（第一係止部）３１が設けられてなる。内部係止体（第一係止部）３１は、壁側枠部１１の略中央部から先側枠部１２側に向かって斜め上方を向いて延出した延伸片からなり、この延伸片の先端部は、丸みを帯びた形状となっている。
【００３２】
ここで、内部係止体（第一係止部）３１と基部係止体（第二係止部）３２とは、挿入端係止構造３を構成する。なお、内部係止体（第一係止部）３１と基部係止体（第二係止部）３２との位置を逆としてもよい。具体的には、内部係止体（第一係止部）３１を懸架アーム２に設け、基部係止体（第二係止部）３２をホルダ１の壁側枠部１１に設けるようにしてもよい。
【００３３】
また、図３に示すように、壁側枠部１１には、懸架アーム２の基部２１の上辺に設けられたアーム側部係止体（第四係止溝）４２と嵌合し、懸架アーム２を係止可能な上係止体（第三係止部）４１が設けられてなる。上係止体（第三係止部）４１は、壁側枠部１１の上部に設けられ、第一挿入穴１０１内に向かって微小に突出した突出片からなり、この突出片の先端部は、角形状となっている。
【００３４】
ここで、上係止体（第三係止部）４１とアーム側部係止体（第四係止溝）４２とは、挿入辺係止構造４を構成する。なお、上係止体（第三係止部）４１とアーム側部係止体（第四係止溝）４２との位置を逆としてもよい。具体的には、上係止体（第三係止部）４１を懸架アーム２に設け、アーム側部係止体（第四係止溝）４２をホルダ１の壁側枠部１１に設けるようにしてもよい。また、ホルダ１の先側枠部１２に上係止体（第三係止部）４１又はアーム側部係止体（第四係止溝）４２を設けるようにしてもよい。
【００３５】
さらに、本実施例では、壁側枠部１１及び懸架アーム２の基部（基端部）２１の一方（片側）にのみ上係止体（第三係止部）４１とアーム側部係止体（第四係止溝）４２を各々設けてなるが、壁側枠部１１及び懸架アーム２の基部（基端部）２１の他方又は両側に上係止体（第三係止部）４１とアーム側部係止体（第四係止溝）４２を各々設けるようにしてもよい。
【００３６】
また、図３に示すように、壁側枠部１１の略中央部から先側枠部１２側に向かって斜め上方を向いて延出した延伸片からなる内部係止体（第一係止部）３１には、懸架アーム２の基部２１に設けられた第二磁着体５２と互いに磁着可能な第一磁着体５１が設けられてなる。
ここで、互いに磁着可能な第一磁着体５１と第二磁着体５２とは、磁着構造５を構成する。
【００３７】
なお、本実施例では、延伸片からなる内部係止体（第一係止部）３１の上辺側及び下辺側の両側に第一磁着体５１が設けられてなるが、上辺側又は下辺側のどちらか一方にのみ第一磁着体５１が設けるようにしてもよい。この場合、懸架アーム２の基部２１に設けられた第二磁着体５２についても、第一磁着体５１が設けられた位置に対応する側の基部２１に設けるようにすればよい。
【００３８】
＜懸架アーム２の構成＞
懸架アーム２は、物干し竿、係止フック、各種提げ紐などの被懸架材Ｐを懸架するための板状部材であり、アーム先部２２には、被懸架材Ｐを懸架するための懸架用孔２０が設けられてなる。図１又は図２に示すように、懸架アーム２は、軽量化のために肉厚が薄いアーム板面２Ｆと、強度確保のため肉厚が厚くなっているアーム板面２Ｆの周囲を囲む縁取り枠２３とで構成される。また、意匠性を向上するためにアーム板面２Ｆと縁取り枠２３との境界には、縁取り溝２４が設けられてなる。
【００３９】
また、図１又は図２に示すように、懸架アーム２の先部２２に設けられた懸架用孔２０は、閉じた孔縁からなり、略中央部に上部窪み２０３が設けられた孔上縁２０１と、丸みを帯びた形状の孔下縁２０２とを有する。懸架アーム２をホルダ１のアーム挿入穴１０から取り外してアーム収容溝１４に収納し、非使用状態Ｓ２とする際には、懸架用孔２０の孔上縁２０１に設けられた上部窪み２０３が、ホルダ１の壁側枠部１１に設けられた延伸片からなる内部係止体（第一係止部）３１と係止する。
【００４０】
また、図３に示すように、懸架アーム２のアーム基部２１には、延伸片である内部係止体（第一係止部）３１と嵌合する切欠き部からなる基部係止体（第二係止部）３２が設けられてなる。また、懸架アーム２のアーム基部２１には、突出片である上係止体（第三係止部）４１と嵌合する窪み部からなるアーム側部係止体（第四係止溝）４２が設けられてなる。さらに、懸架アーム２の基部２１には、延伸片である内部係止体（第一係止部）３１に設けられた第一磁着体５１と互いに磁着可能な第二磁着体５２が設けられてなる。
【００４１】
以上のように、第１実施例に係る壁付け式懸架具は、壁面Ｗに取り付けられるホルダ１と、ホルダ１に一端を挿入されるアーム状剛体からなると共に、被懸架材Ｐを懸架する懸架用孔２０を先部近傍に有した懸架アーム２と、を具備してなる壁付け式懸架具である。ホルダ１は、懸架アーム２の基端部を横方向に取り外し可能に差し込むアーム挿入穴１０と、アーム挿入穴１０から取り外した懸架アーム２を縦方向に収納し得るアーム収容溝１４とを有してなる。そして、懸架アーム２をアーム挿入穴１０に差し込むことで、被懸架材Ｐを懸架可能な使用状態（Ｓ１）となり、或いは、懸架アーム２をアーム挿入穴１０から取り外してアーム収容溝１４に収納することで非使用状態Ｓ２となる。
【００４２】
上記の構成によれば、非使用時にはアーム挿入穴１０から取り外した懸架アーム２をホルダ１に保持収納し、或いは懸架アーム２を取り外した状態にすることで、壁面Ｗから大きく突出した部分を有さない（具体的には、ホルダ側面から突出した部分を有さない）、コンパクトな形態とすることができる。取り付けた壁面Ｗ付近の空間を確保することで、荷物の運搬、通行などの便宜に優れた状態となる。
【００４３】
また、懸架具が分離可能なホルダ１と懸架アーム２とから構成されることで、懸架アーム２の破損時や異なる使用状況を要求される時に、懸架アーム２を新品又は異なる形状のものに交換したり、或いは懸架アーム２を取り外した状態にすることができる。なお、懸架アーム２は、懸架用孔２０が形成された横長方形のアーム板からなり、アーム挿入穴１０はこの懸架アーム２の板端部を縦型穴板面が略鉛直方向を向くように縦方向にアーム挿入穴１０に差し込まれる。
【００４４】
また、第１実施例に係る壁付け式懸架具は、ホルダ１のアーム挿入穴１０は穴底から開口部に向かって斜め上方を向いた穴路を有し、使用状態（Ｓ１）において懸架アーム２は、先部が斜め上方を向くと共に基端部が穴路に沿って差し込まれた状態を保持する。
【００４５】
上記の構成によれば、穴路を斜め上方を向くように設定することで、使用状態（Ｓ１）における懸架アーム２の差し込み状態を確実に保持することができる。特に、懸架アーム２で被懸架材Ｐを懸架したときには、懸架荷重によるモーメントが懸架アーム２の第一挿入穴１０１への差し込み部に発生するところ、この穴路によって第一挿入穴１０１の開口部の下端付近と第一挿入穴１０１のそれぞれが懸架アーム２の基部（基端部）２１と斜めに係止することとなる。これにより、穴底部の上端付近と懸架アーム２が第一挿入穴１０１から脱落しにくいものとなる。
【００４６】
また、第１実施例に係る壁付け式懸架具は、ホルダ１の第一挿入穴１０１の穴底部と、懸架アーム２の基部（基端部）２１との一方及び他方には、互いに係止可能な第一係止部３１と第二係止部３２とからなる、挿入端係止構造３が設けられてなる。
【００４７】
上記の構成によれば、懸架アーム２で被懸架材Ｐを懸架したときには、懸架アーム２の基部（基端部）２１の差し込み部に、懸架荷重によるモーメントが発生するところ、挿入端係止構造３を設けることで、使用状態（Ｓ１）を確実に保持することができる。なお、第一挿入穴１０１の穴底部には、斜め上方を向く立板の側方突出片（第一係止片）からなる第一係止部３１が形成され、また、懸架アーム２の基部（基端部）２１には、第一係止体３１の突出片形状に対応したアーム板の切欠き部からなる第二係止部３２が形成されてなる。
【００４８】
第１実施例に係る壁付け式懸架具は、第一係止部３１と第二係止部３２のうち、ホルダ１の第一挿入穴１０１の穴底部に設けられた一方は、収納状態において懸架アーム２の懸架用孔２０と係止し得る。
【００４９】
上記の構成によれば、非使用状態（Ｓ２）において、第一係止部３１と第二係止部３２のうち、ホルダ１の第一挿入穴１０１の穴底部に設けられた一方を、懸架アームの懸架用孔２０と係止することで、懸架アーム２をホルダ１に収納することができる。
【００５０】
第１実施例に係る壁付け式懸架具は、ホルダ１の第一挿入穴１０１の穴底部の上下の孔辺と、懸架アーム２の基端部の上下の端辺両側辺との一方及び他方には、互いに係止可能な第三係止部３３と第四係止部３４とからなる、挿入辺係止構造４が設けられてなる。
【００５１】
上記の構成によれば、懸架アーム２で被懸架材Ｐを懸架したときには、懸架アーム２の基部（基端部）２１の差し込み部に、懸架荷重によるモーメントが発生するところ、挿入端係止構造４を設けることで、使用状態（Ｓ１）を確実に保持することができる。なお、第一挿入穴１０１の穴底部には、斜め上方を向く立板の側方突出片（第一係止片）からなる第一係止部３１が形成され、また、懸架アーム２の基端部には、第一係止体３１の突出片形状に対応したアーム板の切欠き部からなる第二係止部３２が形成されてなる。
【００５２】
第１実施例に係る壁付け式懸架具は、ホルダ１の第一挿入穴１０１の穴底部と、懸架アーム２の基端部２１との一方及び他方にはそれぞれ、互いに磁着可能な第一磁着体５１と第二磁着体５２とからなり、磁着構造５が設けられてなる。
【００５３】
上記の構成によれば、使用状態（Ｓ１）において、ホルダ１の第一挿入穴１０１の穴底部と、懸架アーム２の基端部２１との一方及び他方には設けられた第一磁着体５１と第二磁着体５２とが磁着するため、懸架アーム２が第一挿入穴１０１から脱落しにくいものとなる。
【００５４】
なお、ホルダ１の第一挿入穴１０１の穴底部に設けられた磁着体５１又は５２と磁着する磁着体を、懸架アーム２の先部２２に設けられた懸架用孔２０の上部窪み２０３の部分に設けるようにしてもよい。上記の構成によれば、懸架アームの懸架用孔２０と係止することで、懸架アーム２をホルダ１に収納する際に、ホルダ１の第一挿入穴１０１の穴底部に設けられた磁着体と、懸架アーム２の先部２２に設けられた懸架用孔２０の上部窪み２０３の部分に設けられた磁着体とが磁着するため、懸架アーム２がホルダ１のアーム収容溝１４から脱落しにくいものとなる。
【００５５】
＜第２実施例＞
図８〜図１０は、第２実施例に係る壁付け式懸架具の構成図である。以下、図８〜図１０を参照して、第２実施例に係る壁付け式懸架具について説明するが、図１〜図７を参照して説明した構成と同一の構成には、同一の符号を付して重複する説明を省略する。
【００５６】
第２実施例に係る壁付け式懸架具は、図８に示すように、ホルダ１にホルダカバー１５を設けた構成を有する。この第２実施例に係る壁付け式懸架具では、図８及び図９に示すように、ホルダカバー１５は、内部空間１５０を有する箱状体（蓋１５１及び４つの側壁１５２により構成される）により構成され、内部空間１５０内に懸架アーム２の基部（基端部）２１に設けられたアーム側部係止体（第四係止溝）４２と嵌合する上係止体（第三係止部）４１を有する突出部材１５３が設けられてなる。
【００５７】
また図１０に示すように、この第２実施例に係る壁付け式懸架具では、懸架アーム２を収容する際には、一度、ホルダカバー１５を外した後、懸架アーム２をアーム収容溝１４に収納し、ホルダカバー１５をホルダ１本体に取り付ける。この懸架アーム２の収容時において、ホルダカバー１５に設けられた突出部材１５３が懸架アーム２の先部２２と当接することで、懸架アーム２が揺れたりすることなくホルダ１に収容される。
【００５８】
また、懸架アーム２がホルダカバー１５とホルダ１本体との間に挟まれることとなるので、懸架アーム２の収容時において、懸架アーム２を確実に保持することができる。また、ホルダカバー１５を備えることにより、アーム収納溝１４内が埃や雨水等により汚れることを抑制することができる。その他の効果については、第１実施例に係る壁付け式懸架具と同じであるため重複する説明を省略する。
【００５９】
＜第３実施例＞
図１１〜図１３は、第３実施例に係る壁付け式懸架具の構成図である。以下、図１１〜図１３を参照して、第３実施例に係る壁付け式懸架具について説明するが、図１〜図１１を参照して説明した構成と同一の構成には、同一の符号を付して重複する説明を省略する。
【００６０】
第３実施例に係る壁付け式懸架具は、図１１に示すように、ホルダ１の付属としてピン６１と、キャップ６２とを備える。ピン６１の先端部６１１には溝が設けられており、キャップ６２には、ピン６１の先端部６１１が挿入される筒状体６２０が設けられている。ピン６１の先端部６１１を、キャップ６２の筒状体６２０に挿入することで、ピン６１がキャップ６２に係止される。
【００６１】
また、懸架アーム２の基部（基端部）２１の形状が側面視において半円形状となっており、貫通孔２１０が設けられてなる。また、図１２に示すように、ホルダ１の壁側枠部１１に設けられる第一挿入穴１０１の形状が、懸架アーム２の基部（基端部）２１と嵌合するように側面視において半円形状となっている。さらに、図１１及び図１２に示すように、ホルダ１の枠底部１３には、貫通孔１３０が設けられてなる。
【００６２】
第３実施例に係る壁付け式懸架具では、懸架アーム２を第一挿入穴１０１及び第二挿入穴１０２で構成されるアーム挿入穴（１０）に差し込んだのち、懸架アーム２の基部（基端部）２１に設けられた貫通孔２１０に、ピン６１の先端部６１１を挿通したのち、ピン６１の先端部６１１をキャップ６２の筒状体６２０に挿入して係止することで使用状態（Ｓ１）となる。
【００６３】
また、第３実施例に係る壁付け式懸架具では、懸架アーム２をアーム挿入穴１０から取り外してアーム収容溝１４に収納することで非使用状態（Ｓ２）となる。このとき、ホルダ１の枠底部１３に設けられた貫通孔１３０にピン６１の先端部６１１を挿通したのち、ピン６１の先端部６１１をキャップ６２の筒状体６２０に挿入して係止する。このようにすることで、非使用状態（Ｓ２）の際にピン６１及びキャップ６２をなくすことを防止できる。その他の効果については、第１実施例に係る壁付け式懸架具と同じであるため重複する説明を省略する。
【００６４】
（その他の実施例）
本発明のいくつかの実施例を説明したが、各実施例に示した構成、各種条件に限定されることはなく、これらの実施例は、例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は、発明の範囲や要旨に含まれるとともに、特許請求の範囲に記載された発明とその均等の範囲に含まれる。
【符号の説明】
【００６５】
１  ホルダ
１０  アーム挿入穴
１０１  第一挿入穴
１０２  第二挿入穴
１１  壁側枠部
１１Ｆ  壁側枠端面
１２  先側枠部
１２Ｆ  先側枠端面
１３  枠底部
１３０  貫通孔
１４  アーム収納溝
１５  ホルダカバー
１５０  内部空間
１５１  蓋
１５２  側壁
１５２  内部空間
１５３  突出部材
２  懸架アーム
２０  懸架用孔
２０１  孔上縁
２０２  孔下縁
２０３  上部窪み
２１  アーム基部
２１０  貫通孔
２２  アーム先部
２３  縁取り枠
２４  縁取り溝
２Ｆ  アーム板面
３  挿入端係止構造
３１  内部係止体（第一係止片）
３２  基部係止体（第二係止溝）
４  挿入辺係止構造
４１  上係止体（第三係止片）
４２  アーム側部係止体（第四係止溝）
５  磁着構造
５１  第一磁着体
５２  第二磁着体
６１  ピン
６１１  先端部
６２  キャップ
６２０  筒状体
Ｗ  壁面
Ｐ  被懸架材
Ｓ１  使用状態（被懸架材を懸架可能な形態）
Ｓ２  非使用状態（懸架アームを収納した形態）
【図１】
2018171137.tif 000003
【図２】
2018171137.tif 000004
【図３】
2018171137.tif 000005
【図４】
2018171137.tif 000006
【図５】
2018171137.tif 000007
【図６】
2018171137.tif 000008
【図７】
2018171137.tif 000009
【図８】
2018171137.tif 000010
【図９】
2018171137.tif 000011
【図１０】
2018171137.tif 000012
【図１１】
2018171137.tif 000013
【図１２】
2018171137.tif 000014
【図１３】
2018171137.tif 000015